【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
スライド式サンバイザであって、
スライド組立体を収容するチャネルを含むサンバイザ本体と、
前記チャネル内に固定的に位置決めされたスライドロッドと、
サンバイザ枢動ロッドと、
戻り止めばねを収容する支持体を含むスライド組立体とを有し、前記スライド組立体が、前記サンバイザ枢動ロッドに軸方向に固定されかつ前記チャネル内で延在し、前記支持体が、前記サンバイザ枢動ロッドに対して軸方向への前記サンバイザ本体の移動を制御するために前記スライドロッドを収容するための少なくとも１つのアパーチャを含むスライド式サンバイザ。
【請求項２】
前記支持体が、前記サンバイザ枢動ロッドに結合された本体と、前記本体の一端から前記スライドロッドの方に延在しかつ前記少なくとも１つのアパーチャを含む脚部と、前記スライドロッドと係合するために前記脚部に結合されたばね式摩擦制御機構とを含む、請求項１に記載のサンバイザ。
【請求項３】
前記スライド組立体が、前記サンバイザ枢動ロッドと係合する互い違いに配置された舌状部を有する戻り止めばねを含み、前記支持体が、前記戻り止めばねの前記舌状部間に形成されたスロット内に延在する互い違いに配置されたタブを含む、請求項２に記載のサンバイザ。
【請求項４】
前記支持体の前記本体が、前記脚部から離れた一端に設けられた第１のカラーを含み、前記第１のカラーが前記サンバイザ枢動ロッドを取り囲む、請求項３に記載のサンバイザ。
【請求項５】
前記脚部が、スロットを画定する横方向拡張部分とフランジを含み、前記戻り止めばねが、前記スロット内に延在するフックを含む、請求項４に記載のサンバイザ。
【請求項６】
前記本体が、前記脚部に隣接しかつ前記サンバイザ枢動ロッドを取り囲む第２のカラーを含む、請求項５に記載のサンバイザ。
【請求項７】
前記脚部が、前記摩擦制御機構を枢動可能に収容するソケットを含む凹部を含む、請求項６に記載のサンバイザ。
【請求項８】
前記摩擦制御機構が、前記スライドロッドが貫通するアパーチャを含み、前記摩擦制御機構の前記アパーチャの側壁を前記スライドロッドに対して押圧するばねを更に含む、請求項７に記載のサンバイザ。
【請求項９】
サンバイザ制御機構であって、
離間された平坦部が形成されたサンバイザ枢動ロッドと、
戻り止めばねを受ける支持体と、
前記サンバイザ枢動ロッドに結合されたサンバイザの持ち上げ位置と下降位置を制御するために、前記サンバイザ枢動ロッドの前記平坦部と係合する互い違いに配置された舌状部を備えた戻り止めばねとを含み、前記支持体が、前記戻り止めばねの前記舌状部間に形成されたスロット内に延在している互い違いに配置されたタブを含むサンバイザ制御機構。
【請求項１０】
前記支持体の前記本体が、前記サンバイザ枢動ロッドを取り囲む第１のカラーを一端に含む、請求項９に記載のサンバイザ制御機構。
【請求項１１】
前記支持体が、スロットを定義する横拡張部分とフランジを含み、前記戻り止めばねが、前記スロット内に延在するフックを含む、請求項１０に記載のサンバイザ制御機構。
【請求項１２】
前記脚部が、前記第１のカラーから離間されかつ前記サンバイザ枢動ロッドを取り囲む第２のカラーを含む、請求項１１に記載のサンバイザ制御機構。
【請求項１３】
車両付属品を車両に取り付ける摺動制御機構であって、
スライド組立体を収容するチャネルを含む本体を有する車両付属品と、
前記チャネル内に固定的に位置決めされたスライドロッドと、
車両に結合しかつ前記本体を移動可能に収容する取り付けロッドと、
前記取り付けロッドに結合されかつ前記チャネル内で延在する支持体を含むスライド組立体とを含み、前記支持体が、前記サンバイザ枢動ロッドに対して軸方向への前記サンバイザ本体の移動を制御するように前記スライドロッドを収容する少なくとも１つのアパーチャを含む摺動制御機構。
【請求項１４】
前記支持体が、前記取り付けロッドに結合された本体と、前記本体の一端から前記スライドロッドに向かって延在しかつ前記スライドロッドを収容する前記少なくとも１つのアパーチャを含む脚部と、前記スライドロッドと係合するために前記脚部に結合されたばね式摩擦制御機構とを含む、請求項１３に記載の摺動制御機構。
【請求項１５】
前記脚部が、前記摩擦制御機構を枢動可能に収容するソケットを含む凹部を含む、請求項１４に記載の摺動制御機構。
【請求項１６】
前記摩擦制御機構が、前記スライドロッドが貫通するアパーチャを含み、前記摩擦制御機構の前記アパーチャの側壁を前記スライドロッドに対して押圧するばねを更に含む、請求項１５に記載の摺動制御機構。
【請求項１７】
前記支持体の前記本体が、前記取り付けロッドを取り囲む、前記脚部から離れた一端に設けられた第１のカラーを含む、請求項１６に記載の摺動制御機構。
【請求項１８】
前記本体が、前記脚部に隣接しかつ前記取り付けロッドを取り囲む第２のカラーを含む、請求項１７に記載の摺動制御機構。
【請求項１９】
スライドを収容するチャネルを含むサンバイザ本体と、
サンバイザ枢動ロッドと、
スライドと、
前記サンバイザ枢動ロッドに軸方向に固定されかつ前記スライドに結合された戻り止めばねとを含み、前記スライドが、前記サンバイザ枢動ロッドに対して軸方向への前記サンバイザ本体の移動を制御するために前記チャネル内で延在し、前記戻り止めばねが、前記スライドに固定的に取り付けられた概略Ｕ字型のばね鋼部材を含む、スライド式サンバイザ。
【請求項２０】
前記戻り止めばねが、前記戻り止めばねから延在する舌状部を含み、前記スライドが、前記舌状部に取り付けられている、請求項１９に記載のスライド式サンバイザ。
【請求項２１】
前記スライドが、前記舌状部に一体的にモールド成形された高分子部材を含む、請求項２０に記載のスライド式サンバイザ。
【請求項２２】
前記チャネル内に固定的に取り付けられたスライドロッドを更に含む、請求項２１に記載のスライド式サンバイザ。
【請求項２３】
前記スライドが支持体を含み、この支持体が、前記サンバイザ枢動ロッドに結合された本体と、前記本体の一端から前記スライドロッドに向かって延在しかつ前記少なくとも１つのアパーチャを含む脚部と、前記スライドロッドと係合するために前記脚部に結合されたばね式摩擦制御機構とを含む、請求項２２に記載のスライド式サンバイザ。
【請求項２４】
前記戻り止めばねが、前記サンバイザ枢動ロッドと係合する互い違いに配置された舌状部を含み、前記支持体が、前記戻り止めばねの前記舌状部間に形成されたスロット内に延在する互い違いに配置されたタブを含む、請求項２３に記載のスライド式サンバイザ。
【請求項２５】
前記支持体の前記脚部が、スロットを画定する横拡張部分とフランジを含み、前記戻り止めばねが、前記スロット内に延在するフックを含む、請求項２４に記載のスライド式サンバイザ。
【請求項２６】
前記支持体の前記本体が、前記サンバイザ枢動ロッドを取り囲む第１と第２の離間されたカラーを含む、請求項２５に記載のスライド式サンバイザ。
【請求項２７】
スライドを収容するチャネルを含むサンバイザ本体と、
サンバイザ枢動ロッドと、
脚部及びこの脚部に枢動可能に取り付けられた摩擦制御部材を含むスライドと、
前記サンバイザ枢動ロッドに軸方向に固定されかつ前記スライドに結合された戻り止めばねとを含み、前記スライドが、前記サンバイザ枢動ロッドに対して軸方向への前記サンバイザ本体の移動を制御するために前記チャネル内で延在し、前記サンバイザが、前記チャネル内に取り付けられたスライドロッドを含み、前記摩擦制御部材が、前記スライドロッドが貫通するアパーチャを含み、更に前記摩擦制御部材の前記アパーチャの側壁を前記スライドロッドに対して押圧するために前記スライドと前記摩擦制御部材間に延在するばねを含む、スライド式サンバイザ。
【請求項２８】
スライド式サンバイザであって、
スライド組立体を収容するチャネルを含むサンバイザ本体と、
前記チャネル内に固定的に位置決めされたスライドロッドと、
サンバイザ枢動ロッドと、
戻り止めばねを収容するスライドであって、前記サンバイザ枢動ロッドに軸方向に固定されかつ前記チャネル内で延在するスライドとを含み、前記スライドが、前記サンバイザ枢動ロッドに対して軸方向への前記サンバイザ本体の移動を制御するために前記スライドロッドを収容する少なくとも１つのアパーチャと、前記スライドロッドと係合するために前記スライドに結合されたばね式摩擦制御機構とを含むスライド式サンバイザ。
【請求項２９】
前記サンバイザ本体が、前記スライドと係合するために前記チャネル内に形成された少なくとも１つのレールを含む、請求項２８に記載のスライド式サンバイザ。
【請求項３０】
前記サンバイザ本体が、前記サンバイザ枢動ロッドを取り囲むソケットと、前記ソケットと隣接して前記サンバイザ枢動ロッドと係合する舌状部とを含む、請求項２８に記載のスライド式サンバイザ。
【請求項３１】
前記スライドがソケットを含み、前記摩擦制御部材が、前記摩擦制御部材を前記ソケットに枢動可能に結合する枢動軸を含む、請求項２７又は３０に記載のスライド式サンバイザ。
【請求項３２】
前記スライドが、前記スライドロッドを受けるために前記摩擦制御部材の両側に延在するアパーチャを含み、前記スライドと前記摩擦制御部材を貫通して前記スライドロッドが延在することによって前記摩擦制御部材が前記スライドに係留された、請求項３１に記載のスライド式サンバイザ。
【請求項３３】
スライド式サンバイザであって、
スライドを収容するチャネルを含むサンバイザ本体と、
前記チャネル内に固定的に位置決めされたスライドロッドと、
少なくとも一個の平坦部が形成されたサンバイザ枢動ロッドと、
戻り止めばねを収容する支持体を含むスライド組立体であって、前記戻り止めばねが前記平坦部に選択的に係合するように前記サンバイザ枢動ロッドに結合されたスライド組立体とを含み、前記支持体とサンバイザ本体の内の一方のものからタブが延出しており、前記支持体とサンバイザ本体の内の他方のものは、前記サンバイザ本体が前記サンバイザロッドに関して所定の位置にあるときに前記タブを受け入れるソケットを含むスライド式サンバイザ。
【請求項３４】
前記所定の位置は、前記サンバイザ本体が後退された時の位置である、請求項３３に記載のスライド式サンバイザ。
【請求項３５】
前記所定の位置は、前記サンバイザ本体が完全に後退された時の位置である、請求項３４に記載のスライド式サンバイザ。
【請求項３６】
前記所定の位置は、前記サンバイザ本体が拡張された時の位置である、請求項３３に記載のスライド式サンバイザ。
【請求項３７】
前記所定の位置は、前記サンバイザ本体が完全に拡張された時の位置である、請求項３６に記載のスライド式サンバイザ。
【請求項３８】
前記タブが嵌め合い勘合状態で前記ソケットに係合する、請求項３３に記載のスライド式サンバイザ。
【請求項３９】
前記支持体は、前記サンバイザ本体が前記所定の位置にあるときに、前記サンバイザ本体に対して開放可能にロックされる、請求項３３に記載のスライド式サンバイザ。